(57)【要約】【課題】ドラッグストア等で、一定のカテゴリーに従って多種類の商品を分別・陳列した多数の商品陳列棚の中から、目的の商品を陳列する商品陳列棚に効率よく到達することができる商品陳列棚の表示装置を提供する。【解決手段】商品陳列棚１の上部に設置される表示板４、５を上下２段に分け、下段の表示板５には、下方の陳列棚２に陳列した商品３ａ〜３ｈの具体的商品名またはそれを包含する小分類のカテゴリー８ａ、８ｂを表示し、かつ上段の表示板４にはこれら小分類のカテゴリー８ａ、８ｂを包含する大分類のカテゴリー７を表示する。さらに下段の表示板５は垂直に近い角度に保持し、かつ下段の表示板５は、上段の表示板より大きい角度で前傾させる。【選択図】        図１
2005013250.tif 000002
【特許請求の範囲】
【請求項１】
一定のカテゴリーに属する商品群を陳列した商品陳列棚の上部に設けられ、前記商品群のカテゴリーを示す商品陳列棚の表示装置であって、
上下２段の表示板を備え、前記下段の表示板には、下方の商品陳列棚に陳列した商品の具体的商品名またはそれを包含する小分類のカテゴリーを表示し、かつ前記上段の表示板には、前記小分類のカテゴリーを包含する大分類のカテゴリーを表示し、さらに、
前記上段の表示板を、垂直に近い角度に保持し、かつ前記下段の表示板を、前記上段の表示板より大きい角度で前傾させたことを特徴とする商品陳列棚の表示装置。
【請求項２】
上段の表示板の上下の長さを、下段の表示板のそれより長くし、かつ上段の表示板におけるカテゴリーを表す文字の大きさを、下段の表示板におけるそれよりも大きくした請求項１記載の商品陳列棚の表示装置。
【請求項３】
上段と下段の表示板をともに半透明とし、これらの表示板を後方から照明手段で照らすようにした請求項１または２に記載の商品陳列棚の表示装置。
【発明の詳細な説明】
【０００１】
【発明の属する技術分野】
本発明は、商品群を分別して陳列した商品陳列棚に買物客を案内する商品陳列棚の表示装置に関する。
【０００２】
【従来の技術】
ドラッグストアやホームセンターなどの小売店では、多種類の商品を一定のカテゴリーに従って分別して商品陳列棚に陳列し、買物客は自分で目的の商品を探し出すセルフ販売方式が主流になっている。このような小売店では、買物客が、広い店内の中で目的の商品を陳列する棚に、回り道をすることなく、効率よく辿り着けるよう、種々の工夫がなされている。
【０００３】
例えば、商品陳列棚の上部に、遠くからでも見分けやすいよう、商品群のカテゴリーを表示する半透明の表示装置を設け、後方から照明装置で照らし出すことによって、比較的暗い店内でもカテゴリーを表示する文字が明るく見えるようにしている店舗がある。
【０００４】
また、商品陳列棚の近くで目的の商品を探す買物客にとっては、商品陳列棚の上部に表示装置があっても、それが天井から吊下げるような形で表示面が鉛直方向に沿っている場合は、表示が見にくく不便なため、表示面の上部を前傾させた表示装置も提案されている（特許文献１参照）。
【０００５】
【特許文献１】
特開２００２−０９５５５８号公報
【０００６】
【発明が解決しようとする課題】
しかし、上述のような試みによっても、買物客を、多種類の商品を販売する店舗の入口から、目的の商品を陳列する商品陳列棚まで迷うことなく導くことには、必ずしも成功していない。
【０００７】
本発明は上記事情に鑑みてなされたもので、商品群を一定のカテゴリーに従って分別して陳列した商品陳列棚に、買物客を効率よく案内する商品陳列棚の表示装置を提供することを目的としている。
【０００８】
【課題を解決するための手段】
本発明によれば、上記課題は次のようにして解決される。
（１）一定のカテゴリーに属する商品群を陳列した商品陳列棚の上部に設けられ、前記商品群のカテゴリーを示す商品陳列棚の表示装置において、上下２段の表示板を備え、前記下段の表示板には、下方の商品陳列棚に陳列した商品の具体的商品名またはそれを包含する小分類のカテゴリーを表示し、かつ前記上段の表示板には、前記小分類のカテゴリーを包含する大分類のカテゴリーを表示し、さらに、前記上段の表示板を、垂直に近い角度に保持し、かつ前記下段の表示板を、前記上段の表示板より大きい角度で前傾させる。
【０００９】
（２）上記（１）項において、上段の表示板の上下の長さを、各下段の表示板のそれより長くし、かつ上段の表示板におけるカテゴリーを表す文字の大きさを、下段におけるそれよりも大きくする。
【００１０】
（３）上記（１）または（２）項において、上段と下段の表示板をともに半透明とし、これらの表示板を後方から照明手段で照らすようにする。
【００１１】
【発明の実施の形態】
以下に、本発明の実施の形態を、添付の図面を参照して説明する。
図１は、本発明に係る商品陳列棚の表示装置に案内されて買物客が買物をする様子を示す図である。
【００１２】
商品陳列棚（１）は、４段からなり、かつ各段が左右２個に分けられた合計８個の棚板（２）を備え、これら８個の棚板（２）にはそれぞれ、一定のカテゴリーに従って分別された８種類の商品（３ａ）（３ｂ）（３ｃ）（３ｄ）（３ｅ）（３ｆ）（３ｇ）（３ｈ）が陳列されている。
【００１３】
一方、商品陳列棚（１）における棚板（２）の上方には、上下２段の表示板（４）（５）からなる表示装置（６）が設けられている。上段の表示板（４）は、この商品陳列装置（１）について１つ設置され、商品陳列装置（１）にある８種類の商品（３ａ）〜（３ｈ）のすべてを包含する大分類のカテゴリー（文字列からなる）（７）を表示している。
【００１４】
他方、下段の表示板（５）は、上段の表示板（４）の下に設置され、大分類のカテゴリー（７）に属する２つの小分類のカテゴリー（文字列からなる）（８ａ）（８ｂ）を表示している。カテゴリー（８ａ）（８ｂ）は、それぞれ、その直下にある４個の棚板（２）に陳列された商品（３ａ）〜（３ｄ）、及び商品（３ｅ）〜（３ｈ）が属するものである。したがって、小分類のカテゴリー（８ａ）（８ｂ）が上部に表示された商品陳列棚（１）の前に辿り着けば、その前方にある商品陳列棚（２）のいずれかから、目的の商品を手にすることができるようになっている。
【００１５】
なお、小分類のカテゴリー（８ａ）（８ｂ）に代えて、商品（３ａ）〜（３ｈ）の商品名を、直接下段の表示板（５）に表示してもよい。
【００１６】
上段の表示板（４）は、垂直、または垂直に近い前傾角度に、また下段の表示板（５）は、上段の表示板（４）より大きな前傾角度をもって前傾するように保持されている。また上段の表示板（４）の上下の長さは、下段の表示板（５）のそれより長くし、また、大分類のカテゴリー（７）を表す文字は、小分類のカテゴリー（８ａ）（８ｂ）を表す文字よりも大きくしておくのが好ましい。
【００１７】
なお、表示板（４）（５）は、ともに半透明のプラスチック製で、表示装置（６）は、これら表示板（４）（５）の後方に照明手段としての蛍光灯（９）を備えるものとするのがよい。蛍光灯（９）が点灯すると、カテゴリー（７）（８ａ）（８ｂ）の文字列は、明るくなり、店内が比較的暗い場合でも、買物客にとって見やすくなる。
【００１８】
表示装置（６）を商品陳列棚（１）の上部に設けるのは、広い店舗に入って入口付近にいる買物客（１０）が、遠方からでも、また、途中にある商品陳列棚（１１）を乗り越えても、視認できるようにするためである。その際、大分類のカテゴリー（７）を示す表示板（４）を、小分類のカテゴリー（８ａ）（８ｂ）を示す表示板（５）より上方に配置しているため、まず、大分類のカテゴリー（７）によって、目的の商品がある陳列棚の大まかな位置を絞り込もうとする買物客にとって、他の商品陳列棚（１１）など途中の障害物によって視角を遮られるおそれが少なく、好都合である。
【００１９】
また、上段の表示板（４）は、遠方からまず大分類のカテゴリー（７）を探す買物客の視線（１２）は水平に近いものであるため、垂直に近い角度で保持された上段の表示板（４）は、遠くから見やすいものとなる。
【００２０】
さらに、上段の表示板（４）にある大分類のカテゴリー（７）を表す文字列の大きさが、下段の表示板（５）にある小分類のカテゴリー（８ａ）（８ｂ）を表す文字列よりも大きいため、文字の大きさの面からも、遠方にいる買物客（１０）は、目的の商品がある大よその位置を見つけやすくなる。
【００２１】
このようにして、遠方から、目的の商品がある大体の位置を把握した買物客（１０）は、途中にある自分にとって関係のない商品陳列棚（１１）等を通り過ぎ、ほぼ最短距離で目的の商品が陳列してある商品陳列棚（１）の近くに到達することができる。
【００２２】
次に、商品陳列棚（１）の近くで、上部にある表示装置（６）を見上げる買物客（１０’）の視線（１３）は、遠方からの視線（１２）よりも仰角が大きくなり、下段の表示板（５）はその上部が表示板（４）より大きく前傾しているため、小分類のカテゴリー（８ａ）（８ｂ）は見やすく、直ちに目的の商品（３ｆ）が属するカテゴリー（８ｂ）を探し出して、商品（３ｆ）を手に取ることができる。
【００２３】
このように、本発明によれば、ホームセンターやスーパーマーケットなど、大型の小売店においても、買物客は、入口付近で、明るく大きな文字でかつ見やすい角度で表示された大分類のカテゴリーを目安にして、広い店内を見回し、目的の商品がある大よその位置を割り出し、無駄に歩き回ることをせずに、目的の場所に近づくことができる。そして、今度は近いところから見やすい小分類のカテゴリーに従って、なおも無駄なく、目的の商品が置いてある商品陳列棚の前に到達することができる。よって、本発明によれば、時間と労力の無駄なく、買物を済ませることができる。
【００２４】
なお、情況に応じて、例えば、個々の商品の商品名をすべて下段の表示板（５）に表示したい場合等においては、下段の表示板（５）の上下の長さを、上段の表示板（４）の上下の長さより大としてもよい。
【００２５】
【発明の効果】
本発明によれば、次のような効果を奏することができる。
【００２６】
請求項１記載の発明によると、店内に入った買物客は、まず遠方から見やすいように、商品陳列装置の最上部に垂直に近い角度で保持された上段の表示板にある大分類のカテゴリー表示をみて、求める商品が陳列されている大まかな位置に近づき、次に、今度は近い場所から見やすい高さと前傾角度で設置された下段の表示板にある小分類のカテゴリー表示や商品名の表示の中から、求める商品の位置を知り、効率よく目的の商品陳列棚に到達することができる。
【００２７】
請求項２記載の発明によると、上段の表示板は、下段の表示板より、カテゴリーを表す文字が見やすくなるため、まず遠方から目的の商品が陳列されているおおよその位置を知ろうとする買物客にとって、都合がよい。
【００２８】
請求項３記載の発明によると、カテゴリーを表す文字部分が明るくなって際立つため、買物客はカテゴリーの表示が見やすくなる。
【図面の簡単な説明】
【図１】本発明の一実施形態に係る商品陳列棚の表示装置に案内されて買物客が買物をする様子を示す、一部を切り欠いた斜視図である。
【符号の説明】
（１）商品陳列棚
（２）棚板
（３ａ）（３ｂ）（３ｃ）（３ｄ）（３ｅ）（３ｆ）（３ｇ）（３ｈ）  商品
（４）上段の表示板
（５）下段の表示板
（６）表示装置
（７）大分類のカテゴリー
（８ａ）（８ｂ）小分類のカテゴリー
（９）蛍光灯
（１０）（１０’）買物客
（１１）商品陳列棚
（１２）（１３）買物客の視線
【図１】
2005013250.tif 000003